(57)【要約】【課題】非対称なトレッド構造を採用しながら、トレッドパターンとは無関係に操縦安定性能を向上できる空気入りタイヤを提供する。【解決手段】車両への装着方向が指定された空気入りタイヤＴにおいて、トレッドゴム１０が、踏面を構成するキャップ層１２と、キャップ層１２のタイヤ径方向内側に積層されるベース層１１と、キャップ層１２とベース層１１との間でタイヤ幅方向に延びるトレッド補強層１３とを備える。トレッド補強層１３は、互いに平行に配列されたタイヤ幅方向に延びる多数本のコードをトッピングゴムで被覆してなり、タイヤ赤道面ＴＣを基準として車両装着時に車両外側となる外側領域ＯＡにのみ設けられている。【選択図】図１
2015058831.tif 000002
【特許請求の範囲】
【請求項１】
車両への装着方向が指定された空気入りタイヤにおいて、
トレッドゴムが、踏面を構成するキャップ層と、前記キャップ層のタイヤ径方向内側に積層されるベース層と、前記キャップ層と前記ベース層との間でタイヤ幅方向に延びるトレッド補強層とを備え、
前記トレッド補強層が、互いに平行に配列されたタイヤ幅方向に延びる多数本のコードをトッピングゴムで被覆してなり、タイヤ赤道面を基準として車両装着時に車両外側となる外側領域にのみ設けられていることを特徴とする空気入りタイヤ。
【請求項２】
前記トレッドゴムが、前記トレッド補強層からタイヤ径方向外側へ延びて踏面に露出する露出層を備え、
前記キャップ層が非導電性ゴムにより形成され、前記トレッド補強層のトッピングゴムが導電性ゴムにより形成され、前記露出層が導電性ゴムにより形成され、
前記トレッド補強層及び前記露出層を介して、ビード部のリム接触面から踏面に至る導電経路が設けられている請求項１に記載の空気入りタイヤ。
【請求項３】
前記露出層がタイヤ周方向に沿って螺旋状に設けられている請求項２に記載の空気入りタイヤ。
【請求項４】
前記トレッド補強層の幅が前記トレッドゴムの幅の４０〜５０％である請求項１〜３いずれか１項に記載の空気入りタイヤ。
【請求項５】
前記トレッド補強層のコードが有機繊維からなる請求項１〜４いずれか１項に記載の空気入りタイヤ。
【請求項６】
前記外側領域での前記キャップ層の厚みが、タイヤ赤道面を基準として車両装着時に車両内側となる内側領域での前記キャップ層の厚みよりも小さく、前記トレッドゴムの厚みが左右で同等に設定されている請求項１〜５いずれか１項に記載の空気入りタイヤ。
【発明の詳細な説明】
【技術分野】
【０００１】
本発明は、タイヤ赤道面に関して非対称なトレッド構造を有し、車両への装着方向が指定されている空気入りタイヤに関する。
【背景技術】
【０００２】
車両への装着方向が指定された空気入りタイヤは、タイヤ赤道面に関して非対称なトレッド構造を有するのが通常であり、一般には非対称なトレッドパターンが形成されている（例えば、特許文献１参照）。それらの多くは、操縦安定性能とＷＥＴ性能（濡れた路面での走行性能）とを両立するなど、諸性能を高次元でバランス化することを目的としている。
【０００３】
例えば、特許文献２に記載の空気入りタイヤでは、車両装着時に車両外側となる外側領域に配置された横溝のピッチを、その車両内側となる内側領域に配置された横溝のピッチよりも大きくし、それにより外側領域の踏面剛性を増大させて操縦安定性能の向上を図っている。しかし、トレッドパターンの設計には、他のタイヤ性能や使用条件も考慮する必要があるため、操縦安定性能を向上するうえで実用上の制約が少なくない。それ故、トレッドパターンとは無関係に操縦安定性能を向上しうる手法の提案が望まれる。
【０００４】
一方、近年では、ＷＥＴ性能などの向上を目的として、トレッドゴムをシリカ高配合とした空気入りタイヤが提案されている（例えば、特許文献３参照）。かかるトレッドゴムは、カーボンブラック高配合としたトレッドゴムに比べてゴム硬度が小さい傾向にあり、踏面剛性の低下に伴ってタイヤ動特性（コーナリングパワーなど）が低下しがちであるため、操縦安定性能を向上しうる手法の提案が特に強く望まれる。また、シリカ高配合のトレッドゴムは比較的高い電気抵抗を有することから、この種のタイヤでは、車体やタイヤで発生した静電気を路面へ放出するための導電経路が必要になる。
【先行技術文献】
【特許文献】
【０００５】
【特許文献１】特開平１１−３２１２３１号公報
【特許文献２】特開２００３−１７０７０５号公報
【特許文献３】特開２００９−１２６２９１号公報
【発明の概要】
【発明が解決しようとする課題】
【０００６】
本発明は上記実情に鑑みてなされたものであり、その目的は、非対称なトレッド構造を採用しながら、トレッドパターンとは無関係に操縦安定性能を向上できる空気入りタイヤを提供することにある。
【課題を解決するための手段】
【０００７】
上記目的は、下記の如き本発明により達成することができる。即ち、本発明に係る空気入りタイヤは、車両への装着方向が指定された空気入りタイヤにおいて、トレッドゴムが、踏面を構成するキャップ層と、前記キャップ層のタイヤ径方向内側に積層されるベース層と、前記キャップ層と前記ベース層との間でタイヤ幅方向に延びるトレッド補強層とを備え、前記トレッド補強層が、互いに平行に配列されたタイヤ幅方向に延びる多数本のコードをトッピングゴムで被覆してなり、タイヤ赤道面を基準として車両装着時に車両外側となる外側領域にのみ設けられているものである。
【０００８】
本発明者は、上記目的を達成すべく研究を重ねたところ、旋回時には、外側領域の踏面に接地圧力が集中することで横方向（タイヤ幅方向）への大きな歪みが発生し、それに伴う横方向の変形によって操縦安定性能が低下しやすいことに着目し、上記の如き本発明を想到した。本発明に係る空気入りタイヤでは、内圧の作用によりトレッド補強層のコードに張力が発生し、それによって横方向の変形に対する外側領域の踏面剛性が増大する。その結果、スリップ角が付与された際の反力が大きくなり、操縦安定性能（特に旋回時の限界性能）を向上することができる。
【０００９】
また、トレッド補強層は、キャップ層とベース層との間に介在するために踏面の近くに配置され、それにより踏面剛性が良好に増大する。しかも、トレッド補強層は、外側領域にのみ設けられ、旋回時の寄与が小さい内側領域には設けられていないため、定常走行に対するトレッド補強層の影響が抑えられ、特にネガティブキャンバーが付与される場合には顕著である。このように、本発明の空気入りタイヤによれば、非対称なトレッド構造を採用しながら、トレッドパターンとは無関係に操縦安定性能を向上できる。
【００１０】
本発明の空気入りタイヤでは、前記トレッドゴムが、前記トレッド補強層からタイヤ径方向外側へ延びて踏面に露出する露出層を備え、前記キャップ層が非導電性ゴムにより形成され、前記トレッド補強層のトッピングゴムが導電性ゴムにより形成され、前記露出層が導電性ゴムにより形成され、前記トレッド補強層及び前記露出層を介して、ビード部のリム接触面から踏面に至る導電経路が設けられているものでもよい。
【００１１】
この場合、キャップ層が非導電性ゴムにより形成されるが、ビード部のリム接触面から踏面に至る導電経路が設けられるために、車体やタイヤで発生した静電気は路面へ放出される。そして、その導電経路の一部を構成するトレッド補強層によって、上記の操縦安定性能の向上効果が得られる。非導電性ゴムがシリカ高配合のゴムであれば、操縦安定性能とＷＥＴ性能とを高次元で両立できる。また、トレッド補強層が外側領域にのみ設けられることで、内側領域ではシリカ高配合のゴムが増えて改善効果が高められる。
【００１２】
上記においては、前記露出層がタイヤ周方向に沿って螺旋状に設けられていてもよい。かかる構成によれば、露出層を形成する導電性ゴムのボリュームを低減できるため、非導電性ゴムによる改善効果が高められる。また、キャップ層が少し摩耗した段階では、露出層がタイヤ周方向において部分的に露出し、踏面に露出する非導電性ゴムの面積が増えるため、キャップ層を非導電性ゴムで形成することによる改善効果が高められる。
【００１３】
前記トレッド補強層の幅は、前記トレッドゴムの幅の４０〜５０％であることが好ましい。この割合が４０％以上であることにより、横方向の変形に対する外側領域の踏面剛性を効果的に増大させることができる。また、この割合が５０％以下であることにより、トレッド補強層を必要以上に幅広にすることなく、定常走行に対するトレッド補強層の影響を良好に抑えることができる。
【００１４】
前記トレッド補強層のコードが有機繊維からなることが好ましい。かかる構成によれば、トレッド補強層のコードに張力を適切に発生させられるため、横方向の変形に対する外側領域の踏面剛性を増大させるうえで都合が良い。
【００１５】
前記外側領域での前記キャップ層の厚みが、タイヤ赤道面を基準として車両装着時に車両内側となる内側領域での前記キャップ層の厚みよりも小さく、前記トレッドゴムの厚みが左右で同等に設定されていることが好ましい。これにより、非対称なトレッド構造を採用しながらも、接地圧分布の不均一化に起因した接地性の悪化を抑制することができる。
【図面の簡単な説明】
【００１６】
【図１】本発明に係る空気入りタイヤの一例を概略的に示すタイヤ子午線断面図
【図２】各層のコードの配列を示す平面図
【発明を実施するための形態】
【００１７】
以下、本発明の実施の形態について図面を参照しながら説明する。図１には、本発明の一例である空気入りタイヤＴのタイヤ子午線断面を概略的に示している。図２は、そのタイヤＴが備えるカーカス層４、ベルト層７、ベルト補強層８及びトレッド補強層１３の平面視において、それらのコードの配列を概略的に示している。
【００１８】
図１に示すように、空気入りタイヤＴは、一対のビード部１と、そのビード部１の各々からタイヤ径方向外側に延びるサイドウォール部２と、そのサイドウォール部２の各々のタイヤ径方向外側端に連なるトレッド部３とを備える。ビード部１には、鋼線等の収束体をゴム被覆してなる環状のビードコア１ａと、硬質ゴムからなるビードフィラー１ｂとが設けられている。
【００１９】
カーカス層４は、トレッド部３からサイドウォール部２を経てビード部１に至り、その端部がビードコア１ａを介して巻き上げられている。カーカス層４を構成するカーカスプライは、互いに平行に配列されたタイヤ幅方向に延びる多数本のコードＣ４をトッピングゴムで被覆してなる。リムストリップゴム５は、不図示のリムと接するリム接触面１５を有し、ビード部１におけるカーカス層４の外側に設けられている。サイドウォールゴム６は、サイドウォール部２におけるカーカス層４の外側に設けられている。
【００２０】
ベルト層７は、トレッド部３におけるカーカス層４の外周に設けられている。ベルト層７を構成する複数枚（本実施形態では２枚）のベルトプライは、それぞれ、タイヤ赤道面ＴＣに対して傾斜して延びるコードＣ７をトッピングゴムで被覆してなり、そのコードＣ７が互いに逆向きに交差するように積層されている。ベルト補強層８は、ベルト層７の外周に設けられ、実質的にタイヤ周方向に延びるコードＣ８をトッピングゴムで被覆してなる。トレッドゴム１０は、ベルト補強層８の外周に設けられており、後述するトレッド補強層１３を備えることで、そのトレッド構造はタイヤ赤道面ＴＣに関して非対称である。
【００２１】
このタイヤＴは、車両への装着方向が指定されたタイヤであり、図１右側のサイドウォール部２が車両外側となるように指定されている。装着方向の指定は、例えば、サイドウォール部２の外表面に、車両外側となる旨の表示（例えば、ＯＵＴＳＩＤＥ）または車両内側となる旨の表示（例えば、ＩＮＳＩＤＥ）を付すことにより行われる。トレッド部３に関して、外側領域ＯＡは、タイヤ赤道面ＴＣを基準として車両装着時に車両外側となる領域であり、内側領域ＩＡは、タイヤ赤道面ＴＣを基準として車両装着時に車両内側となる領域である。
【００２２】
トレッドゴム１０は、踏面を構成するキャップ層１２と、キャップ層１２のタイヤ径方向内側に積層されるベース層１１と、そのキャップ層１２とベース層１１との間でタイヤ幅方向に延びるトレッド補強層１３とを備える。トレッド補強層１３は、互いに平行に配列されたタイヤ幅方向に延びる多数本のコードＣ１３をトッピングゴムで被覆してなり、車両装着時に車両外側となる外側領域ＯＡにのみ設けられている。このタイヤＴには、左右で非対称なトレッドパターンが形成され、外側領域ＯＡと内側領域ＩＡとでパターン形状が異なっているが、図１では踏面に設けられた溝の図示を省略している。
【００２３】
インフレート時には、内圧の作用によりコードＣ１３に張力が発生し、横方向（タイヤ幅方向）の変形に対する外側領域ＯＡの踏面剛性が増大する。その結果、スリップ角が付与された際の反力が大きくなり、操縦安定性能（特に旋回時の限界性能）を向上できる。旋回時の寄与が小さい内側領域ＩＡにはトレッド補強層１３を設けておらず、定常走行に対するトレッド補強層１３の影響（歪みによる転がり抵抗の低下など）が抑えられる。特にネガティブキャンバーが付与される場合には、定常走行に対する作用が内側領域ＩＡで大きくなるため、トレッド補強層１３を外側領域ＯＡにのみ設けることの有益性が増す。
【００２４】
トレッド補強層１３による補強効果を確保するうえで、トレッド補強層１３の幅Ｗ１３はトレッドゴム１０の幅Ｗ１０の４０％以上であることが好ましい。また、トレッド補強層１３を必要以上に幅広にしないよう、幅Ｗ１３は幅Ｗ１０の５０％以下であることが好ましい。同様の理由から、トレッド補強層１３はタイヤ赤道面ＴＣを越えないことがより好ましい。トレッド補強層１３はタイヤ周方向に沿って環状に設けられており、本実施形態では１層で構成されているが、複数を積層した構造でも構わない。
【００２５】
トレッド補強層１３のコードＣ１３は、好ましくはナイロンやレーヨン、ポリエステル、アラミドなどの有機繊維からなり、例えば４．９〜１４．７ＧＰａの引張モジュラスを有する。この引張モジュラスは、ＪＩＳＬ１０１７に準拠して常温で引張試験を行ったときの２％伸張時の値である。タイヤ幅方向に延びるコードＣ１３のタイヤ赤道面ＴＣに対する角度θは、９０±１０度の範囲内である。トレッド補強層１３のトッピングゴムは、例えば１．０〜４．０ＭＰａの引張モジュラス（Ｍ１００）を有する。Ｍ１００は、ＪＩＳＫ６２５１に準拠して２５℃で引張試験を行ったときの１００％伸張時の値である。
【００２６】
本実施形態では、踏面を構成するキャップ層１２が、非導電性ゴムにより形成されている。非導電性ゴムは、原料ゴムに補強剤としてシリカを高比率で、例えばゴム成分１００重量部に対して３０〜１００重量部で配合することにより作製される。好ましくは湿式シリカが用いられるが、補強材として汎用されているものは特に制限なく使用できる。このようなシリカ高配合のゴムでキャップ層１２が形成されることにより、操縦安定性能とＷＥＴ性能を高次元で両立できる。非導電性ゴムは比較的高い電気抵抗を有し、例えば固有抵抗値が８ＭΩ・ｃｍを越えるため、後述するような導電経路が設けられている。
【００２７】
トレッドゴム１０は、トレッド補強層１３からタイヤ径方向外側へ延びて踏面に露出する露出層１４を備える。露出層１４は、トレッド補強層１３のトッピングゴムに接続される一端から、踏面に露出する他端まで連続して延びている。本実施形態の露出層１４はタイヤ周方向に沿って螺旋状に設けられているため、図１の断面では断続的に現れている。トレッド補強層１３のトッピングゴムは導電性ゴムにより形成され、露出層１４も導電性ゴムにより形成されている。図１では、図面上での区別を容易にするため、トレッド補強層１３と露出層１４を黒く着色して描いている。
【００２８】
導電性ゴムは、原料ゴムに補強剤としてカーボンブラックを高比率で、例えばゴム成分１００重量部に対して３０〜１００重量部で配合することにより作製される。カーボンブラック以外にも、カーボンファイバーや、グラファイト等のカーボン系、及び金属粉、金属酸化物、金属フレーク、金属繊維等の金属系の公知の導電性付与材を配合してもよい。導電性ゴムは比較的低い電気抵抗を有し、例えば固有抵抗値が８ＭΩ・ｃｍ以下である。
【００２９】
上記の原料ゴムとしては、天然ゴム、スチレンブタジエンゴム（ＳＢＲ）、ブタジエンゴム（ＢＲ）、イソプレンゴム（ＩＲ）、ブチルゴム（ＩＩＲ）等が挙げられ、これらは１種単独で又は２種以上混合して使用される。かかる原料ゴムには、加硫剤や加硫促進剤、可塑剤、老化防止剤等も適宜に配合される。また、上記の固有抵抗値は、ＪＩＳＫ６２７１に準拠して２３℃で測定した体積固有抵抗を指す。
【００３０】
本実施形態では、リムストリップゴム５とサイドウォールゴム６が、それぞれ導電性ゴムにより形成されるとともに、トレッド補強層１３がサイドウォールゴム６に接続されている。これにより、トレッド補強層１３及び露出層１４を介して、ビード部１のリム接触面１５から踏面に至る導電経路が設けられている。即ち、車体やタイヤで発生した静電気は、リムから、リムストリップゴム５、サイドウォールゴム６、トレッド補強層１３のトッピングゴム、露出層１４を通って路面に放出される。
【００３１】
露出層１４は、トレッド補強層１３からタイヤ径方向外側へ向かって、図１の断面において直線状に延びるものでも構わない。しかし、本実施形態のように螺旋状に延びる構造であれば、露出層１４を形成する導電性ゴムのボリュームを低減でき、非導電性ゴムによる改善効果（例えば、ＷＥＴ性能の向上効果）が高められる。トレッドゴム１０内の導電経路を全体的に螺旋状すると導電経路の距離が長くなるものの、トレッド補強層１３を介在させることにより、そのような導電経路の長距離化が抑えられる。
【００３２】
未摩耗の新品時における露出層１４は、タイヤ周方向の全周で踏面に露出し、或いは、タイヤ周方向において部分的に露出する。キャップ層１２が少し摩耗した段階では、露出層１４がタイヤ周方向において部分的に露出するため、摩耗の初期段階から末期段階にかけて一律にタイヤ周方向の全周で導電性ゴムが露出する構造に比べると、踏面に露出する非導電性ゴムの面積が増える。それ故、キャップ層１２を非導電性ゴムで形成することによる改善効果（例えば、ＷＥＴ性能の向上効果）が高められる。
【００３３】
露出層１４が露出する部位は、踏面内であれば特に限られるものではないが、制動性能の向上を図るうえで、タイヤ幅方向の中央部であることが好ましい。また、同じ理由から、トレッドゴム１０の表面にタイヤ赤道面ＴＣを通るセンターリブが設けられる場合には、そのセンターリブ上で露出層１４が露出することが好ましい。露出層１４はタイヤ幅方向の複数箇所で露出するものでも構わないが、導電性ゴムのボリュームを抑えるうえでは、本実施形態のように１箇所で露出する形態が好ましい。
【００３４】
リム接触面１５から踏面に至る導電経路は、トレッド補強層１３と露出層１４を介して設けられるが、その他の部分を構成する部材は特に限定されない。したがって、例えば、サイドウォールゴム６を非導電性ゴムにより形成したうえで、カーカスプライのトッピングゴムを導電性ゴムにより形成し、トレッド補強層１３をカーカス層４に接続するように構成してもよい。所要の導電経路を設けるうえでは、トレッド補強層１３のタイヤ幅方向外側の末端が、トレッドゴム１０の側面又は底面に露出することが好ましい。
【００３５】
このタイヤＴでは、外側領域ＯＡでのキャップ層１２の厚みＴ１２ｏが、内側領域ＩＡでのキャップ層１２の厚みＴ１２ｉよりも小さい。厚みＴ１２ｏは、踏面からトレッド補強層１３の表面までの距離として測定される。厚みＴ１２ｏと厚みＴ１２ｉとの差は、トレッド補強層１３の厚みと同程度であり、そのためトレッドゴム１０の厚みが左右で同等に設定されている。外側領域ＯＡでのトレッドゴム１０の厚みＴ１０ｏは、例えば、内側領域ＩＡでのトレッドゴム１０の厚みＴ１０ｉの１００±３％である。
【００３６】
このようにトレッドゴム１０の厚みを左右で同等にすることにより、非対称なトレッド構造を採用しながらも、接地圧分布の不均一化に起因した接地性の悪化を抑制することができる。尚、厚みＴ１２ｏと厚みＴ１２ｉは、タイヤ赤道面ＴＣからタイヤ幅方向に略同じ距離だけ離れた箇所で測定され、厚みＴ１０ｏ，Ｔ１０ｉは、それぞれ厚みＴ１２ｏ，Ｔ１２ｉの測定箇所で測定されるものとする。
【００３７】
キャップ層１２の厚みに代えて又は加えて、ベース層１１の厚みに基づいて調整してもよい。即ち、外側領域ＯＡでのベース層１１の厚みを、内側領域ＩＡでのベース層１１の厚みよりも小さくし、それによりトレッドゴム１０の厚みを左右で同等に設定することも可能である。但し、トレッド補強層１３を踏面の近くに配置して踏面剛性を増大させるうえでは、キャップ層１２の厚みに基づいて調整することが好適である。
【００３８】
この空気入りタイヤＴは、トレッド部３を上記の如く構成する程度の改変で、その他は従来のタイヤ製造工程と同様にして製造することができる。トレッドゴム１０の成形にはリボン巻き工法の採用が好ましく、トレッドゴムを押出成形する場合に比べて、キャップ層１２とベース層１１の間にトレッド補強層１３を介在させたり、キャップ層１２の厚みを調整したりすることが容易くなる。リボン巻き工法は、小幅で未加硫のゴムリボンをタイヤ周方向に螺旋状に巻き付けて、所望の断面形状を有するゴム部材を成形する工法である。
【００３９】
本発明は上述した実施形態に何ら限定されるものではなく、本発明の趣旨を逸脱しない範囲内で種々の改良変更が可能である。したがって、踏面に形成されるトレッドパターンなどは、本発明において特に限定されるものではない。
【実施例】
【００４０】
以下、本発明の構成と効果を具体的に示す実施例について説明する。タイヤの各性能評価は、次のようにして行った。
【００４１】
（１）接地性（接地圧分布の均一性）
１５×６ＪＪのリムに装着して内圧を１８０ｋＰａとし、制動時にタイヤ１輪あたりに負荷される鉛直方向の荷重に相当する５５４５Ｎ（＝ＪＡＴＭＡ最大荷重×０．８×１．１５）を負荷した状態で、接地面内における各測定点での垂直接地圧力と平均接地圧を算出した。その上で、各測定点の接地圧と平均接地圧の差の平方二乗の全測定点の総和を全測定点数で除した値を求め、この値を接地圧分散とした。比較例１の結果を１００として指数評価し、数値が大きいほど接地性に優れていることを示す。
【００４２】
（２）操縦安定性能
実車（セダンタイプの乗用車）に装着して旋回走行を行い、ドライバーによる官能試験により評価した。比較例１の結果を１００として指数評価し、数値が大きいほど操縦安定性能に優れていることを示す。
【００４３】
評価に供したタイヤのうち、図１のようにトレッド補強層を設けるとともに、そのトレッド補強層に含まれるコードのタイヤ周方向に対する角度が０度であるものを比較例１，２とし、９０度であるものを実施例１〜３とした。トレッド補強層の構造を除いて、各例におけるタイヤ構造やゴム配合は共通であり、タイヤサイズは１９５／６５Ｒ１５  ９１Ｓである。評価結果を表１に示す。
【００４４】
【表１】
2015058831.tif 000003
【００４５】
表１に示すように、実施例１〜３は、比較例１，２よりも操縦安定性能に優れており、中でも実施例２，３では、接地性を損なうことなく操縦安定性能を向上できている。
【符号の説明】
【００４６】
１      ビード部
２      サイドウォール部
３      トレッド部
４      カーカス層
５      リムストリップゴム
６      サイドウォールゴム
７      ベルト層
８      ベルト補強層
１０    トレッドゴム
１１    ベース層
１２    キャップ層
１３    トレッド補強層
１４    露出層
１５    リム接触面
【図１】
2015058831.tif 000004
【図２】
2015058831.tif 000005